【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
撮像素子の出力を、非線形な入出力特性で変換して出力する変換手段と、
前記変換手段の出力に対し、階調特性又はコントラストを変化させる画像補正処理を適用する画像処理手段と、
前記変換手段が用いる前記入出力特性に応じて前記画像処理手段の有効、無効を制御する制御手段とを有し、
前記制御手段は、前記変換手段が、入力値の線形的な増加に対して出力値が対数的に増加する入出力特性を用いるように設定されている場合は、前記画像処理手段を無効とすることを特徴とする画像処理装置。
【請求項２】
前記画像補正処理が、前記変換手段の出力に応じた自動階調補正処理およびユーザが設定した画像補正処理の少なくとも一方であることを特徴とする請求項１記載の画像処理装置。
【請求項３】
ユーザが前記画像処理装置に設定を行うための設定画面を表示装置に表示させる表示手段をさらに有し、
前記制御手段は、前記変換手段が、入力値の線形的な増加に対して出力値が対数的に増加する入出力特性を用いるように設定されている場合、ユーザが前記設定画面を通じて前記自動階調補正処理に関する設定および前記画像補正処理に関する設定を行えないように、前記表示手段を制御することを特徴とする請求項２に記載の画像処理装置。
【請求項４】
前記制御手段は、前記変換手段が、入力値の線形的な増加に対して出力値が対数的に増加する入出力特性を用いるように設定されている場合、前記自動階調補正処理に関する設定を行うための項目および前記画像補正処理に関する設定を行うための項目を前記設定画面に表示しないように前記表示手段を制御することを特徴とする請求項３に記載の画像処理装置。
【請求項５】
前記制御手段は、前記変換手段が、入力値の線形的な増加に対して出力値が対数的に増加する入出力特性を用いるように設定されている場合、前記設定画面における前記自動階調補正処理に関する設定を行うための項目および前記画像補正処理に関する設定を行うための項目を前記設定画面で選択不能に表示するように前記表示手段を制御することを特徴とする請求項３に記載の画像処理装置。
【請求項６】
前記撮像素子を有することを特徴とする請求項１から５のいずれか１項に記載の画像処理装置。
【請求項７】
前記画像補正処理が、撮影シーンに応じた補正処理を含むことを特徴とする請求項１から６のいずれか１項に記載の画像処理装置。
【請求項８】
前記画像補正処理が、色相または彩度の強調、ダイナミックレンジの拡張、背景のぼかし、ガンマ特性の変更、およびニー補正の少なくとも１つを含むことを特徴とする請求項１から７のいずれか１項に記載の画像処理装置。
【請求項９】
画像処理装置であって、
撮像画像の全体を非線形な入出力特性で変換し、変換画像を出力する変換手段と、
前記変換画像の全体に対し、階調特性又はコントラストを変化させる画像補正処理を適用する画像処理手段と、
ユーザが前記画像処理装置の設定を行うことを可能にする設定画面を表示装置に表示させる表示手段と、
前記表示装置に表示される前記設定画面に含まれる設定項目を制御する制御手段と、
を有し、
入力値の線形的な増加に対して出力値が対数的に増加する入出力特性を用いて前記撮像画像の全体を変換するように前記変換手段が設定されている場合、前記制御手段は、前記撮像画像の全体に影響を与える画像補正処理に関する設定をユーザが行えないように前記設定項目を制御することを特徴とする画像処理装置。
【請求項１０】
撮像素子の出力を、非線形な入出力特性で変換して出力する変換手段と、
前記変換手段の出力に対し、階調特性又はコントラストを変化させる画像補正処理を適用する画像処理手段とを有する画像処理装置の制御方法であって、
前記画像処理装置の制御手段が、前記変換手段が用いる前記入出力特性に応じて前記画像処理手段の有効、無効を制御する制御ステップを有し、
前記制御ステップにおいて前記制御手段は、前記変換手段が、入力値の線形的な増加に対して出力値が対数的に増加する入出力特性を用いるように設定されている場合は、前記画像処理手段を無効とすることを特徴とする画像処理装置の制御方法。
【請求項１１】
画像処理装置の制御方法であって、
前記画像処理装置は、
撮像画像の全体を非線形な入出力特性で変換し、変換画像を出力する変換手段と、
前記変換画像の全体に対し、階調特性又はコントラストを変化させる画像補正処理を適用する画像処理手段と、
ユーザが前記画像処理装置の設定を行うことを可能にする設定画面を表示装置に表示させる表示手段と、を有し、
前記画像処理装置の制御方法は、前記画像処理装置の制御手段が、前記表示装置に表示される前記設定画面に含まれる設定項目を制御する制御ステップを有し、
入力値の線形的な増加に対して出力値が対数的に増加する入出力特性を用いて前記撮像画像の全体を変換するように前記変換手段が設定されている場合、前記制御ステップにおいて前記制御手段は、前記撮像画像の全体に影響を与える画像補正処理に関する設定をユーザが行えないように前記設定項目を制御することを特徴とする画像処理装置の制御方法。
【請求項１２】
コンピュータを請求項１から９のいずれか１項に記載の画像処理装置が有する各手段として機能させるためのプログラム。
【手続補正２】
【補正対象書類名】明細書
【補正対象項目名】発明の名称
【補正方法】変更
【補正の内容】
【発明の名称】画像処理装置およびその制御方法
【手続補正３】
【補正対象書類名】明細書
【補正対象項目名】０００１
【補正方法】変更
【補正の内容】
【０００１】
本発明は、画像処理装置およびその制御方法に関する。
【手続補正４】
【補正対象書類名】明細書
【補正対象項目名】００１０
【補正方法】変更
【補正の内容】
【００１０】
本発明は、撮影画像のコントラストに影響を与える画像補正処理を適用可能な画像処理装置およびその制御方法において、入力値の線形的な増加に対して出力値が対数的に増加する入出力が数値で定義された特性を用いて撮影される画像において、ユーザーの視聴に適した画像とは異なる、意図しない画像となることを抑制することを目的とする。
【手続補正５】
【補正対象書類名】明細書
【補正対象項目名】００１１
【補正方法】変更
【補正の内容】
【００１１】
上述の目的は、撮像素子の出力を、非線形な入出力特性で変換して出力する変換手段と、変換手段の出力に対し、階調特性又はコントラストを変化させる画像補正処理を適用する画像処理手段と、変換手段が用いる入出力特性に応じて画像処理手段の有効、無効を制御する制御手段とを有し、制御手段は、変換手段が、入力値の線形的な増加に対して出力値が対数的に増加する入出力特性を用いるように設定されている場合は、画像処理手段を無効とすることを特徴とする画像処理装置によって達成される。
【手続補正６】
【補正対象書類名】明細書
【補正対象項目名】００１２
【補正方法】変更
【補正の内容】
【００１２】
本発明によれば、撮影画像のコントラストに影響を与える画像補正処理を適用可能な画像処理装置およびその制御方法において、入力値の線形的な増加に対して出力値が対数的に増加する入出力が数値で定義された特性を用いて撮影される画像において、ユーザーの視聴に適した画像とは異なる、意図しない画像となることを抑制することができる。
【手続補正７】
【補正対象書類名】明細書
【補正対象項目名】００１４
【補正方法】変更
【補正の内容】
【００１４】
以下、添付図面を参照して本発明の例示的な実施形態について説明する。
図１は、本発明の実施形態に係る画像処理装置の一例としてのデジタルスチルカメラ１００（以下、単にデジタルカメラという）における、撮像、現像、出力に関わる構成例を示すブロック図である。コントローラ１３０はＣＰＵおよび、ＲＯＭやＲＡＭ等のメモリを有し、以下に説明する各部を制御したり、各部の機能の一部もしくは全てを実現したりする。なお、以下に説明する構成の少なくとも一部は、コントローラ１３０のＣＰＵがソフトウェア的に実現してもよいし、ハードウェアによって実現されてもよいし、ハードウェアとソフトウェアの協働により実現されてもよい。